(57)【要約】【課題】カメラ装置や子局装置の情報管理を可能にするＣＣＴＶシステムを提供する。【解決手段】複数のカメラ装置１０の各々に接続の複数の子局装置２０と、中央装置３０とがネットワーク回線４０でループ状に接続されたＣＣＴＶシステムであって、中央装置に接続の表示装置５０に、複数のカメラ装置の設置位置を示す複数のアイコンをつけた地図情報を表示する手段を備えたことを特徴とする。【選択図】  図１
2004165808.tif 000002
【特許請求の範囲】
【請求項１】
複数のカメラ装置の各々に接続の複数の子局装置と、中央装置とがネットワーク回線でループ状に接続されたＣＣＴＶシステムであって、前記中央装置に接続の表示装置に、前記複数のカメラ装置の設置位置を示す複数のアイコンをつけた地図情報を表示する手段を備えたことを特徴とするＣＣＴＶシステム。
【請求項２】
請求項１記載において、前記表示した複数のアイコンについてのカメラ装置の情報を前記表示装置または前記中央装置に登録する手段を備えたことを特徴とするＣＣＴＶシステム。
【請求項３】
請求項２記載において、前記登録した前記複数のアイコンについてのカメラ装置の情報を一覧表で表示し、該一覧表上で前記カメラ装置の情報の一部を変更すると前記登録したカメラ装置の情報の該当情報を変更登録する手段を備えたことを特徴とするＣＣＴＶシステム。
【請求項４】
請求項２または３記載において、前記カメラ装置の情報はそのカメラ装置のＩＤ番号と該カメラ装置と接続されるカメラ装置先のＩＤ番号を含み、前記中央装置と前記複数のカメラ装置の各々に接続の複数の子局装置との接続状態を示すルート図を表示する手段を備えたことを特徴とするＣＣＴＶシステム。
【請求項５】
請求項１から３記載のうちいずれか一つに記載において、前記アイコンの追加や変更をした場合の追加変更来歴の情報を表示する手段を備えたことを特徴とするＣＣＴＶシステム。
【請求項６】
複数のカメラ装置の各々に接続の複数の子局装置と、中央装置とがネットワーク回線でループ状に接続されたＣＣＴＶシステムであって、前記中央装置に接続の表示装置に、前記カメラ装置や前記子局装置に障害が発生したときに障害場所を表示する手段を備えたことを特徴とするＣＣＴＶシステム。
【請求項７】
複数のカメラ装置の各々に接続の複数の子局装置と、中央装置とがネットワーク回線でループ状に接続されたＣＣＴＶシステムであって、前記中央装置に接続の表示装置に、前記ネットワーク回線に障害が発生したときに障害場所を表示する手段を備えたことを特徴とするＣＣＴＶシステム。
【発明の詳細な説明】
【０００１】
【発明の属する技術分野】
本発明は、複数のカメラ装置の各々に接続の複数の子局装置と、中央装置とがネットワーク回線でループ状に接続されたＣＣＴＶシステムに関する。
【０００２】
【従来の技術】
分散した複数のカメラ装置で撮像した映像を一箇所で遠隔監視するために、複数のカメラ装置の各々に接続の複数の子局装置と、中央装置とがネットワーク回線でループ状に接続されたＣＣＴＶシステムが開発されている。このＣＣＴＶシステムの具体例として、一つのセンタ装置と複数の端末装置をループ状に接続し、映像等を監視するデジタル伝送ネットワークがある（例えば特許文献１参照。）。
【０００３】
【特許文献１】
特開平１０−５１４７９号公報（第２頁、図５）
【０００４】
【発明が解決しようとする課題】
従来のこの種のＣＣＴＶシステムにおいては、カメラ装置や子局装置の情報や、中央装置と複数の子局装置との接続状態を示すルートを、書面で管理しており、追加変更するたびに書面の書き換えを行っていた。
【０００５】
その為、書面での管理だけでは書面を紛失した場合、速やかにネットワークのルートを把握およびカメラ装置や子局装置の情報管理をすることが出来なかった。
【０００６】
また、従来のこの種のＣＣＴＶシステムにおいては、機器設置時のネットワークのルートおよび機器追加変更時のネットワークのルートは、その都度書面の書き換えで行っていた。
【０００７】
また、カメラ装置や子局装置の情報管理および機器の追加変更来歴についても書面の書き換えで行っていた。
【０００８】
さらに、従来のこの種のＣＣＴＶシステムにおいては、カメラ装置や子局装置の故障やネットワーク回線の切断等の障害を検知するのは、装置単体だけであった。
【０００９】
その為、障害によりシステムダウンした時にその場所、原因がどこにあるかを特定するのが難しく、システム復旧に非常に時間を要する事が多かった。
【００１０】
本発明の目的は、カメラ装置や子局装置の情報管理を可能にするＣＣＴＶシステムを提供することにある。
【００１１】
本発明の他の目的は、中央装置と複数のカメラ装置の各々に接続の複数の子局装置との接続状態を示すルート情報の情報管理を可能にするＣＣＴＶシステムを提供することにある。
【００１２】
本発明のさらに他の目的は、カメラ装置や子局装置、ネットワーク回線に障害が発生したときに障害場所を表示するＣＣＴＶシステムを提供することにある。
【００１３】
【課題を解決するための手段】
本発明は、複数のカメラ装置の各々に接続の複数の子局装置と、中央装置とがネットワーク回線でループ状に接続されたＣＣＴＶシステムであって、前記中央装置に接続の表示装置に、前記複数のカメラ装置の設置位置を示す複数のアイコンをつけた地図情報を表示する手段を備えたことを特徴とするＣＣＴＶシステムである。
【００１４】
本発明は、上記記載において、前記表示した複数のアイコンについてのカメラ装置の情報を前記表示装置または前記中央装置に登録する手段を備えたことを特徴とするＣＣＴＶシステムである。
【００１５】
本発明は、上記記載において、前記登録した前記複数のアイコンについてのカメラ装置の情報を一覧表で表示し、該一覧表上で前記カメラ装置の情報の一部を変更すると前記登録したカメラ装置の情報の該当情報を変更登録する手段を備えたことを特徴とするＣＣＴＶシステムである。
【００１６】
本発明は、上記記載において、前記カメラ装置の情報はそのカメラ装置のＩＤ番号と該カメラ装置と接続されるカメラ装置先のＩＤ番号を含み、前記中央装置と前記複数のカメラ装置の各々に接続の複数の子局装置との接続状態を示すルート図を表示する手段を備えたことを特徴とするＣＣＴＶシステムである。
【００１７】
本発明は、上記記載のうちいずれか一つに記載において、前記アイコンの追加や変更をした場合の追加変更来歴の情報を表示する手段を備えたことを特徴とするＣＣＴＶシステムである。
【００１８】
本発明は、複数のカメラ装置の各々に接続の複数の子局装置と、中央装置とがネットワーク回線でループ状に接続されたＣＣＴＶシステムであって、前記中央装置に接続の表示装置に、前記カメラ装置や前記子局装置に障害が発生したときに障害場所を表示する手段を備えたことを特徴とするＣＣＴＶシステムである。
【００１９】
本発明は、複数のカメラ装置の各々に接続の複数の子局装置と、中央装置とがネットワーク回線でループ状に接続されたＣＣＴＶシステムであって、前記中央装置に接続の表示装置に、前記ネットワーク回線に障害が発生したときに障害場所を表示する手段を備えたことを特徴とするＣＣＴＶシステムである。
【００２０】
【発明の実施の形態】
図１は本発明の第１の実施の形態のＣＣＴＶシステムのブロック構成図である。
複数のカメラ装置１０は、各々複数の子局装置２０と映像ケーブル（同軸ケーブル），制御ケーブル，電源ケーブル等で接続されている。  また子局装置２０間及び中央装置３０は、例えば光ファイバからなるネットワーク回線４０でループ状に接続されている。映像，カメラ制御の信号は、本ループ回線上にて伝送される。表示装置５０はパソコンに付随する表示装置であり、中央装置３０と通信ケーブルで接続されている。
【００２１】
この構成により、表示装置５０で、分散した複数のカメラ装置１０の遠隔監視を行う。
【００２２】
図２は図１の表示装置５０のモニタ面５１を示す図で、地図情報を表示した図である。モニタ面５１は主表示画面５２と副表示画面５３と制御キー群５４からなる。
【００２３】
まず、主表示画面５２に地図情報を表示し、地図上で複数のカメラ装置１０の設置位置をカメラアイコンで貼り付けて設置位置を地図上に表示する。図２は地図情報６１上に複数のカメラ装置１０（図１）の設置位置をカメラアイコン６２で貼り付けて設置位置を表示した状態を示す図である。カメラアイコン６２内の数字は複数のカメラ装置１０の各々のカメラ番号を示し、図示の場合は、６台のカメラ装置１０が番号順に道路に沿って分散して設置されていることを示している。
【００２４】
地図情報６１は市販されている地図情報（ベクトル地図等）を使用し、地図情報６１を図１の表示装置５０または中央装置３０にデータとして登録し保管しておく。地図情報を表示させるための選択キー５４−１を制御キー群５４に用意しておき、その選択キー５４−１をクリックして選択することにより地図情報６１が表示される。
【００２５】
表示された地図情報６１には、複数のカメラ装置１０（図１）が設置されている箇所に各々カメラアイコン６２が表示されており、その内の特定のカメラアイコン６２を選択すると、そのカメラ装置１０の映像を主表示画面５２に写す。（カメラアイコンが登録されているカメラアイコンが表示される。）
地図情報６１へのカメラアイコン６２の表示については、カメラアイコン（ビットマップ等で作成）をデータとして表示装置５０または中央装置３０（図１）に登録して保管し、制御キー群５４にアイコンデータ選択キー５４−２を用意しておく。その選択キーの選択によりカメラアイコンが表示される。表示されたカメラアイコンにカメラ番号をつけ、マウスでドラッグＡＮＤドロップして地図情報６１上を貼り付ける。
【００２６】
また、地図情報６１に表示されたカメラアイコン６２を右クリックすると、そのカメラ装置１０に必要な情報登録用の画面がポップアップ表示される。カメラアイコンの情報表示はこの操作で行える。
【００２７】
情報登録内容は、（１）カメラ番号、（２）装置ＩＤ番号、（３）このカメラと接続されるカメラ先のＩＤ番号（上り、下り）、（４）カメラ名称、（５）変更来歴記載、（６）その他必要な情報である。
【００２８】
表示した情報をデータとしてマウスを左クリックして登録し、表示装置５０または中央装置３０（図１）に保管する。
【００２９】
この際、登録した情報を一覧表（帳票表示）に表示できるように、登録した情報をデータ変換してそのデータを表示装置５０または中央装置３０（図１）に保管する。制御キー群５４に一覧表選択キー５４−３を用意しておき、その選択キーの選択により一覧表（帳票表示）６３を主表示画面５２に表示することができる。
【００３０】
主表示画面５２に表示の一覧表（帳票表示）６３上でデータの一部を書き換えて変更すると、表示装置５０または中央装置３０（図１）に保管のデータの該当箇所を書き換えて変更し保管する。
【００３１】
登録した情報に基づき、制御キー群５４に用意したルート図表示選択キー５４−４の選択によりルート図を表示することができる。
【００３２】
図３は図１の表示装置５０のモニタ面５１を示す図で、ルート図を表示した図である。モニタ面５１の主表示画面５２にルート図６４が表示されている。ルート図６４は、中央装置３０に対する複数この場合では６台の子局装置２０の接続順に、各々の子局装置２０の箇所に、子局装置２０に接続のカメラ装置１０のカメラ番号を付して示されている。
【００３３】
この場合、上記のようにデータの書き換えて変更した場合には、保管してある変更した最新のデータが表示される。
【００３４】
また、旧情報のルート図についても、情報書き換えの数回前まで保管し、必要に応じて表示することができる。
【００３５】
また、情報登録時に、表示装置５０または中央装置３０（図１）で管理している日付時間で、カメラアイコンの追加や変更時間を管理し、またその理由も書き込めるようにして、書き換え毎に整理することができる。また、その来歴の情報を、モニタ面５１に設けた副表示画面５３に表示する。
【００３６】
本実施の形態によれば、従来は書面で管理していたものを、パソコン等の表示装置で表示することにより、ＣＡＴＶシステムの状況を速やかに一目で判断でき、監視システムの運用効率を向上させることが可能となる。
【００３７】
図４は本発明の第２の実施の形態のＣＣＴＶシステムのブロック構成図である。ただしカメラ装置１０と子局装置２０は２台のみ、またネットワーク回線は上り回線または下りの一方の回線のみが示されている。本実施の形態はカメラ装置や子局装置内の例えば画像エンコーダに障害が起きたとき、およびネットワーク回線が切断の障害が起きたときに、障害場所と障害内容を表示する形態である。
【００３８】
複数のカメラ装置１０は、各々複数の子局装置２０と映像ケーブル（同軸ケーブル），制御ケーブル，電源ケーブル等で接続されている。また子局装置２０間及び中央装置３０は、例えば光ファイバからなるネットワーク回線４０でループ状に接続されている。映像，カメラ制御の信号は、本ループ回線上にて伝送される。表示装置５０はパソコンに付随する表示装置であり、中央装置３０と通信ケーブルで接続されている。
【００３９】
ここで、子局装置２０は、画像エンコーダ２１とカメラＩ／Ｆ２２とＲＡＭ２３とＣＰＵ２４と光送信装置２５と光受信装置２６と多重装置２７を備えている。また中央装置３０は、画像エンコーダ３１と制御Ｉ／Ｆ３２とＲＡＭ３３とＣＰＵ３４と光受信装置３５と光送信装置３６と多重装置３７を備えている。
【００４０】
まず、カメラ装置１０に障害が起きたときの障害場所と障害の内容の表示について説明する。カメラ装置１０の障害として映像が出力しなくなったとき、カメラ装置１０内の映像検知回路に映像が流れなくなりその結果アラーム発生回路がアラーム信号を発生してアラーム信号を子局装置２０に発信する。
【００４１】
子局装置２０は、カメラＩ／Ｆ２２にてカメラ装置１０からのアラーム信号を受信し、ＲＡＭ２３にアラーム信号のデータを保存する。ＲＡＭ２３からＣＰＵ２４にデータを渡し、ＣＰＵ２４はその内容を処理する。
【００４２】
ＣＰＵ２４はアラーム信号を処理すると、ネットワーク回線４０上にそのアラーム信号のデータを流すのであるが、そのデータの流れは、ＣＰＵ２４→ＲＡＭ２３→多重装置２７→光送信装置２５となる。ＣＰＵ２４は処理したデータを一度ＲＡＭ２３に保存する。ＲＡＭ２３は多重装置２７にデータを渡し、光送信装置２５からネットワーク回線４０上にデータを配信する。
【００４３】
親局装置３０は、ネットワーク回線４０上に配信されているアラーム信号を受信する。親局装置３０内のアラーム信号を受信してからのデータの流れは子局装置２０とは逆で、光受信装置３５→多重装置３７→ＲＡＭ３３→ＣＰＵ３４→ＲＡＭ３３→制御Ｉ／Ｆ３２となり、制御Ｉ／Ｆ３２の出力を表示装置５０にデータ送信する。光受信装置３５にて受信したアラーム信号は、多重装置３７経由にて一度ＲＡＭ３３に保存され、ＲＡＭ３３からＣＰＵ３４にデータを渡し、ＣＰＵ３４はその内容を処理する。
【００４４】
ＣＰＵ３４はその内容を処理するとＲＡＭ３３にデータを保存し、制御Ｉ／Ｆ３２経由で表示装置５０にデータ送信する。表示装置５０は受信したデータを処理し、障害場所と障害の内容を画面上に表示する。
【００４５】
次に、子局装置２０内例えば画像エンコーダ２１に障害が起きたときの障害場所の表示について説明する。画像エンコーダ２１に障害が起きたとき、画像エンコーダ２１は画像エンコーダ２１内の映像検知回路に映像が流れなくなりその結果アラーム発生回路がアラーム信号を発生し、アラーム信号がＲＡＭ２３に保存される。ＲＡＭ２３から、ＣＰＵ２４にデータを渡し、ＣＰＵ２４はその内容を処理する。
【００４６】
その後のデータの流れは、カメラ装置１０の障害時と同じで、ＣＰＵ２４→ＲＡＭ２３→多重装置２７→光送信装置２５→光受信装置３５→多重装置３７→ＲＡＭ３３→ＣＰＵ３４→ＲＡＭ３３→制御Ｉ／Ｆ３２となり、表示装置５０にデータ送信する。詳細の説明は、カメラ装置１０の障害時と同じなので省略する。
【００４７】
次に、光ファイバからなるネットワーク回線４０が切断の障害が起きたときの障害場所と障害の内容の表示について説明する。ネットワーク回線４０が切断の時は、光レベルがダウンする。光レベルの検知は中央装置３０内の光受信装置３５にて行っている。光受信装置３５は光レベルのダウンを検知すると、アラーム信号を発信し、アラーム信号がＲＡＭ３３に保存される。ＲＡＭ３３からＣＰＵ３４にデータを渡し、ＣＰＵ３４はその内容を処理する。
【００４８】
ＣＰＵ３４は、その内容を処理するとＲＡＭ３３にデータを保存し、制御Ｉ／Ｆ３２経由で表示装置５０にデータ送信する。表示装置５０は受信したデータを処理し、障害場所と障害の内容を画面上に表示する。
【００４９】
図５は図４の表示装置５０のモニタ面５１を示す図で、モニタ面５１の主表示画面５２にルート図６４を表示し、さらに障害場所と障害の内容を画面上に表示した例を示す図である。図５の表示の例は、カメラ番号２のカメラ装置１０に接続の子局装置２０に障害が起きたときで、カメラ番号２が点灯表示することで、障害場所を示している。またモニタ面５１の副表示画面５３に、例えば「カメラ番号２の子局装置の画像エンコーダの故障」と表示することで、障害の内容を示している。また色を変え、例えば障害箇所のない青から障害箇所を示す赤表示に変えるようにしても良い。
【００５０】
本発明の実施の形態によれば、従来障害が起きた場合でもその障害場所や障害内容を特定するのが難しかったものを、パソコン等の表示装置で表示することにより、障害の場所や原因を一目で判断でき、復旧作業を非常に短時間に行うことができるようになり、ＣＡＴＶシステムの運用効率を向上させることが可能となる。
【００５１】
【発明の効果】
本発明によれば、カメラ装置や子局装置の情報管理を可能にするＣＣＴＶシステムを得ることができる。また本発明によれば、中央装置と複数のカメラ装置の各々に接続の複数の子局装置との接続状態を示すルート情報の情報管理を可能にするＣＣＴＶシステムを得ることができる。また本発明によれば、カメラ装置や子局装置、ネットワーク回線に障害が発生したときに障害場所を表示するＣＣＴＶシステムを得ることができる。
【図面の簡単な説明】
【図１】本発明の第１の実施の形態のＣＣＴＶシステムのブロック構成図である。
【図２】図１の表示装置のモニタ面を示す図で、地図情報を表示した図である。
【図３】図１の表示装置のモニタ面を示す図で、ルート図を表示した図である。
【図４】本発明の第２の実施の形態のＣＣＴＶシステムのブロック構成図である。
【図５】図４の表示装置のモニタ面を示す図で、モニタ面の主表示画面にルート図を表示し、さらに障害場所と障害の内容を画面上に表示した例を示す図である。
【符号の説明】
１０：カメラ装置、２０：子局装置、３０：中央装置、４０：ネットワーク回線、５０：表示装置、５１：モニタ面、５２：主表示画面、５３：副表示画面、５４：制御キー群、５４−１から５４−４：選択キー、６１：地図情報、６２：カメラアイコン、６３：一覧表、６４：ルート図。
【図１】
2004165808.tif 000003
【図２】
2004165808.tif 000004
【図３】
2004165808.tif 000005
【図４】
2004165808.tif 000006
【図５】
2004165808.tif 000007